(57)【特許請求の範囲】
【請求項１】
画情報を蓄積する画情報蓄積手段を備えた画情報蓄積装置であって、
前記画情報蓄積手段によって画情報を蓄積したときのページ数に基づいて該画情報の保存時間が決まるとともに、前記画情報蓄積手段によって蓄積した画情報を該保存時間に基づいて保存するように制御する制御手段を備えたことを特徴とする画情報蓄積装置。
【請求項２】
画情報を蓄積する画情報蓄積手段を備えた画情報蓄積装置であって、
前記画情報蓄積手段によって画情報を蓄積したときの蓄積部の残り容量に基づいて該画情報の保存時間が決まるとともに、前記画情報蓄積手段によって蓄積した画情報を該保存時間に基づいて保存するように制御する制御手段を備えたことを特徴とする画情報蓄積装置。
【請求項３】
前記制御手段は、前記保存時間が経過した場合には、前記画情報蓄積手段に蓄積されている画情報を消去することを特徴とする請求項１または２のいずれかに記載の画情報蓄積装置。
【請求項４】
前記画情報の保存延長の指示を促す報知手段をさらに備えたことを特徴とする請求項１乃至３のいずれかに記載の画情報蓄積装置。
【請求項５】
前記画情報の保存延長の指示入力があった場合には、前記画情報の保存を延長することを特徴とする請求項４に記載の画情報蓄積装置。
【請求項６】
前記画情報を送信する送信手段をさらに備えたことを特徴とする請求項１乃至５のいずれかに記載の画情報蓄積装置。
【請求項７】
画情報を蓄積する画情報蓄積手段を備えた画情報蓄積装置の制御方法であって、
前記画情報蓄積手段によって画情報を蓄積したときのページ数に基づいて該画情報の保存時間が決まるとともに、前記画情報蓄積手段によって蓄積した画情報を該保存時間に基づいて保存するように制御することを特徴とする画情報蓄積装置の制御方法。
【請求項８】
画情報を蓄積する画情報蓄積手段を備えた画情報蓄積装置の制御方法であって、
前記画情報蓄積手段によって画情報を蓄積したときの蓄積部の残り容量に基づいて該画情報の保存時間が決まるとともに、前記画情報蓄積手段によって蓄積した画情報を該保存時間に基づいて保存するように制御することを特徴とする画情報蓄積装置の制御方法。
【請求項９】
前記保存時間が経過した場合には、前記画情報蓄積手段に蓄積されている画情報を消去することを特徴とする請求項７または８のいずれかに記載の画情報蓄積装置の制御方法。
【請求項１０】
さらに、前記画情報の保存延長の指示を促す報知を行うことを特徴とする請求項７乃至９のいずれかに記載の画情報蓄積装置の制御方法。
【請求項１１】
前記画情報の保存延長の指示入力があった場合には、前記画情報の保存を延長することを特徴とする請求項１０に記載の画情報蓄積装置の制御方法。
【請求項１２】
さらに、前記画情報を送信することを特徴とする請求項７乃至１１のいずれかに記載の画情報蓄積装置の制御方法。
【発明の詳細な説明】
【技術分野】
【０００１】
本発明は、画情報を蓄積する画情報蓄積手段を備えた画情報蓄積装置およびその制御方法に関する。
【背景技術】
【０００２】
従来では、一般に、ファクシミリ装置では、送信時にオペレータによって指定された宛先に発呼できなかった場合には、所定回数（例えば３回）まで繰り返し再発呼することで、宛先の回線が話中（ビジー）の場合でも可能な限り宛先と接続できるようにしている。
【０００３】
しかしながら、従来、例えば宛先の話中が長時間継続した場合などで再発呼の設定回数まで繰り返し発呼しても宛先と接続できなかったときには、その時点で宛先の発呼を終了していたので、かかる場合には再度送信のための設定入力を繰り返す必要があり、オペレータの手間がかかっていた。
【０００４】
また、画像蓄積機能を備えたファクシミリ装置では、送信画情報を蓄積して同様に再発呼するが、宛先を発呼できなかったときにはその宛先に伝送するために蓄積している画情報を消去しているので、画情報の蓄積も繰り返し行なう必要があり、さらに手間がかかっていた。
【０００５】
そこで、送信画情報の保存時刻および発呼復帰指示を入力するための操作入力手段を備え、指定された宛先を所定回数発呼しても当該宛先と接続できなかったとき、設定された保存時刻を経過するまでの間に発呼復帰指示が入力されたときには当該宛先への発呼動作を繰り返して、前記課題を解決するものも提案されている（特許文献１参照）。
【特許文献１】特公平８−１０８９６号公報
【発明の開示】
【発明が解決しようとする課題】
【０００６】
しかしながら、このような従来装置では、画情報を蓄積するメモリ容量に限りがあるので、保存する件数が集中した場合に、メモリ機能を有効に使えなくなるという不具合を生じることがある。
【０００７】
本発明は、かかる実情に鑑みてなされたものであり、蓄積した画情報を適切に保存することができる画情報蓄積装置およびその制御方法を提供することを目的としている。
【課題を解決するための手段】
【０００８】
本発明は、画情報を蓄積する画情報蓄積手段を備えた画情報蓄積装置であって、前記画情報蓄積手段によって画情報を蓄積したときのページ数に基づいて該画情報の保存時間が決まるとともに、前記画情報蓄積手段によって蓄積した画情報を該保存時間に基づいて保存するように制御する制御手段を備えたものである。
【０００９】
また、画情報を蓄積する画情報蓄積手段を備えた画情報蓄積装置であって、前記画情報蓄積手段によって画情報を蓄積したときの蓄積部の残り容量に基づいて該画情報の保存時間が決まるとともに、前記画情報蓄積手段によって蓄積した画情報を該保存時間に基づいて保存するように制御する制御手段を備えたものである。
【００１０】
また、前記制御手段は、前記保存時間が経過した場合には、前記画情報蓄積手段に蓄積されている画情報を消去するようにしたものである。
【００１１】
また、前記画情報の保存延長の指示を促す報知手段をさらに備えたものである。
【００１２】
また、前記画情報の保存延長の指示入力があった場合には、前記画情報の保存を延長するようにしたものである。
【００１３】
また、前記画情報を送信する送信手段をさらに備えたものである。
【００１４】
また、画情報を蓄積する画情報蓄積手段を備えた画情報蓄積装置の制御方法であって、前記画情報蓄積手段によって画情報を蓄積したときのページ数に基づいて該画情報の保存時間が決まるとともに、前記画情報蓄積手段によって蓄積した画情報を該保存時間に基づいて保存するように制御するようにしたものである。
【００１５】
また、画情報を蓄積する画情報蓄積手段を備えた画情報蓄積装置の制御方法であって、前記画情報蓄積手段によって画情報を蓄積したときの蓄積部の残り容量に基づいて該画情報の保存時間が決まるとともに、前記画情報蓄積手段によって蓄積した画情報を該保存時間に基づいて保存するように制御するようにしたものである。
【００１６】
また、前記保存時間が経過した場合には、前記画情報蓄積手段に蓄積されている画情報を消去するようにしたものである。
【００１７】
また、さらに、前記画情報の保存延長の指示を促す報知を行うようにしたものである。
【００１８】
また、前記画情報の保存延長の指示入力があった場合には、前記画情報の保存を延長するようにしたものである。
【００１９】
また、さらに、前記画情報を送信するようにしたものである。
【発明の効果】
【００２０】
したがって、本発明によれば、再発呼動作を含めた発呼動作（一群の発呼動作）を終了した時点で画情報の送信動作が正常に完了していない場合には、画情報を蓄積してから、時間Ｔ１を経過するまでの間、発呼復帰を促すメッセージが操作表示部７へ表示され、ユーザが発呼復帰を指令した場合には、再発呼動作を含めた発呼動作が繰り返し行われるので、重要な送信動作を確実に実行させることができるという効果を得る。また、発呼復帰操作が行われた場合には、その操作時点を基準として、時間Ｔ１が再設定されるとともに、計時が再開されるので、重要な送信動作をより確実に実行させることができるという効果も得る。また、蓄積送信する時刻によって上記時間Ｔ１を変えているので、発呼復帰指示が困難な時間帯であるときにうっかり保存時間を経過してしまう事態を避けることができるという効果も得る。
【００２１】
また、蓄積ページ数に応じて、設定値ＴＰ１，ＴＰ２の値を増やしているので、再送信のために、大量のページの蓄積をやり直すという手間をより効果的に防ぐことができるという効果も得る。また、発呼復帰操作回数に応じて、保存時間Ｔ１の値を調整しているので、延長する場合には、重要な画情報を消すのを防ぐことができ、また、短縮する場合には、交信できない画情報は早く消すことができて、画像蓄積装置９の記憶容量を有効に活用することができるという効果も得る。
【００２２】
また、蓄積ページ数に応じて、設定値ＴＰ１，ＴＰ２の値を増やしているので、再送信のために、大量のページの蓄積をやり直すという手間をより効果的に防ぐことができるという効果も得る。
【００２３】
また、発呼復帰操作回数に応じて、再発呼待機時間ＴＳを延長しているので、例えば、相手先がビジーかトラブル等の確率が高い場合に、発呼間隔が長くなるので、画情報を送信可能な確率を高めることができるという効果も得る。
【００２４】
また、画像蓄積装置９の残り容量に応じて、保存時間Ｔ１の値を調整しているので、画像蓄積装置９の容量をより効率よく活用することができるという効果も得る。
【００２５】
また、送信が正常に終了した場合には、保存時間Ｔ２を経過するまで画情報を保持した後に、当該画情報を消去するので、例えば、ユーザは、送信原稿を紛失した場合にプリントアウトすることができ、あるいは、送信した画情報の内容を後から確認することができるという効果も得る。
【発明を実施するための最良の形態】
【００２６】
以下、添付図面を参照しながら、本発明の実施の形態を詳細に説明する。
【００２７】
図１は、本発明の一実施例にかかるグループ３ファクシミリ装置を示している。
【００２８】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００２９】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００３０】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００３１】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３２】
網制御装置１１は、このグループ３ファクシミリ装置をアナログ公衆網ＰＳＴＮに接続するためのものであり、自動発着信機能を備えている。
【００３３】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００３４】
また、網制御装置１１とグループ３ファクシミリモデム１０との間のデータのやりとりは、直接行なわれている。
【００３５】
図２および図３は、送信時の処理の一例を示している。
【００３６】
ユーザが送信原稿をスキャナ５にセットし（処理１０１）、操作表示部７を操作して宛先を入力すると（処理１０２）、スキャナ５によりセットされた送信原稿を読み取り（処理１０４）、それによって得た画像データを符号化復号化部８で符号化圧縮し、それによって得た画情報を画像蓄積装置９に蓄積する（処理１０５）。
【００３７】
そして、画情報の保存時間を判定するためのタイマＴＴを起動し（処理１０６）、そのときの時刻が、設定時間帯内であるかどうかを調べる（判断１０７）。ここで、設定時間帯は、夜間の時間帯、例えば、午後９時〜翌朝６時の時間帯が設定されている。
【００３８】
判断１０７の結果がＹＥＳになるときには、保存時間を設定する時間Ｔ１に、所定値ＴＰ１（例えば、１２時間）をセットし（処理１０８）、判断１０７の結果がＮＯになるときには、時間Ｔ１に、所定値ＴＰ２（例えば、６時間）をセットする（処理１０９）。
【００３９】
次に、発呼回数を保存するためのカウンタＨＣの値を０に初期設定し（処理１１０）、指定された宛先へ発呼し（処理１１１）、宛先が話中であるかどうかを調べる（判断１１２）。
【００４０】
判断１１２の結果がＮＯになるときには、所定のグループ３ファクシミリ送信動作を行って、処理１０５で蓄積した画情報を、宛先へ送信する（処理１１３）。この送信動作を終了すると、送信が正常に終了したか否かを調べ（判断１１４）、判断１１４の結果がＹＥＳになるときには、そのときに送信した画情報を消去して（処理１１５）、この処理を終了する。
【００４１】
また、判断１１４の結果がＮＯになるとき、および、判断１１２の結果がＹＥＳになるときで、送信動作が正常に終了しなかった場合には、カウンタＨＣの値を１つ増やし（処理１１６）、カウンタＨＣの値が、再発呼回数を規定する定数ＮＡ以上になっているかどうかを調べる（判断１１７）。
【００４２】
判断１１７の結果がＮＯになるときには、所定の再発呼待ち時間ＴＳ（例えば、３分間）を待機し（処理１１８）、処理１１１へ戻り、再発呼動作を行う。
【００４３】
また、判断１１７の結果がＹＥＳになるときには、タイマＴＴの値が時間Ｔ１以上になっているかどうかを調べ（判断１１９）、判断１１９の結果がＹＥＳになるときには、処理１１５へ移行し、画情報を消去して、この処理を終了する。
【００４４】
また、判断１１９の結果がＮＯになるときには、発呼動作を復帰するかどうかを問い合わせる発呼復帰操作入力ガイダンスメッセージを操作表示部７へ表示して、ユーザに、発呼復帰の操作を要求し（処理１２０）、発呼復帰操作があるかどうかを調べ（判断１２１）、判断１２３の結果がＮＯになるときには、判断１１９へ戻る。
【００４５】
また、判断１２１の結果がＹＥＳになるときには、発呼復帰動作を行う。すなわち、この場合には、判断１０６へ戻り、タイマＴＴを再起動するとともに、時間Ｔ１を再設定し、再発呼動作を含めた発呼動作を繰り返し行う。
【００４６】
このようにして、本実施例では、再発呼動作を含めた発呼動作（一群の発呼動作）を終了した時点で画情報の送信動作が正常に完了していない場合には、画情報を蓄積してから、時間Ｔ１を経過するまでの間、発呼復帰を促すメッセージが操作表示部７へ表示され、ユーザが発呼復帰を指令した場合には、再発呼動作を含めた発呼動作が繰り返し行われるので、重要な送信動作を確実に実行させることができる。また、発呼復帰操作が行われた場合には、その操作時点を基準として、時間Ｔ１が再設定されるとともに、計時が再開されるので、重要な送信動作をより確実に実行させることができる。また、蓄積送信する時刻によって上記時間Ｔ１を変えているので、発呼復帰指示が困難な時間帯であるときにうっかり保存時間を経過してしまう事態を避けることができる。
【００４７】
図４〜図６は、送信時の処理の他の例を示している。
【００４８】
ユーザが送信原稿をスキャナ５にセットし（処理２０１）、操作表示部７を操作して宛先を入力すると（処理２０２）、スキャナ５によりセットされた送信原稿を読み取り（処理２０４）、それによって得た画像データを符号化復号化部８で符号化圧縮し、それによって得た画情報を画像蓄積装置９に蓄積する（処理２０５）。
【００４９】
次いで、蓄積ページ数に応じて、所定値ＴＰ１，ＴＰ２の値を設定（調整）する（処理２０６）。例えば、所定値ＴＰ１の値は、１２時間を基準として、蓄積ページ数が１０ページを超えるたびに１時間を加算する。また、所定値ＴＰ２の値は、６時間を基準として蓄積ページ数が１０ページを超えるたびに１時間を加算する。
【００５０】
そして、画情報の保存時間を判定するためのタイマＴＴを起動し（処理２０７）、そのときの時刻が、設定時間帯内であるかどうかを調べる（判断２０８）。ここで、設定時間帯は、夜間の時間帯、例えば、午後９時〜翌朝６時の時間帯が設定されている。
【００５１】
判断２０８の結果がＹＥＳになるときには、保存時間を設定する時間Ｔ１に、所定値ＴＰ１をセットし（処理２０９）、判断２０８の結果がＮＯになるときには、時間Ｔ１に、所定値ＴＰ２をセットする（処理２１０）。
【００５２】
次に、発呼復帰入力回数を保存するためのカウンタＨＫの値を０に初期設定するとともに（処理２１１）、発呼回数を保存するためのカウンタＨＣの値を０に初期設定し（処理２１２）、指定された宛先へ発呼し（処理２１３）、宛先が話中であるかどうかを調べる（判断２１５）。
【００５３】
判断２１５の結果がＮＯになるときには、所定のグループ３ファクシミリ送信動作を行って、処理２０５で蓄積した画情報を、宛先へ送信する（処理２１６）。この送信動作を終了すると、送信が正常に終了したか否かを調べ（判断２１７）、判断２１７の結果がＹＥＳになるときには、そのときに送信した画情報を消去して（処理２１８）、この処理を終了する。
【００５４】
また、判断２１７の結果がＮＯになるとき、および、判断２１５の結果がＹＥＳになるときで、送信動作が正常に終了しなかった場合には、カウンタＨＣの値を１つ増やし（処理２１９）、カウンタＨＣの値が、再発呼回数を規定する定数ＮＡ以上になっているかどうかを調べる（判断２２０）。
【００５５】
判断２２０の結果がＮＯになるときには、所定の再発呼待ち時間ＴＳ（後述）を待機し（処理２２１）、処理２１３へ戻り、再発呼動作を行う。
【００５６】
また、判断２２０の結果がＹＥＳになるときには、タイマＴＴの値が時間Ｔ１以上になっているかどうかを調べ（判断２２２）、判断２２２の結果がＹＥＳになるときには、処理２１８へ移行し、画情報を消去して、この処理を終了する。
【００５７】
また、判断２２２の結果がＮＯになるときには、発呼動作を復帰するかどうかを問い合わせる発呼復帰操作入力ガイダンスメッセージを操作表示部７へ表示して、ユーザに、発呼復帰の操作を要求し（処理２２３）、発呼復帰操作があるかどうかを調べ（判断２２４）、判断２２４の結果がＮＯになるときには、判断２２２へ戻る。
【００５８】
また、判断２２４の結果がＹＥＳになるときには、発呼復帰動作を行う。すなわち、この場合には、タイマＴＴを再起動し（処理２２５）、カウンタＨＫの値を１つ増やし（処理２２６）、カウンタＨＫの値に応じて、再発呼待機時間ＴＳを再設定する（処理２２７）。例えば、再発呼待機時間ＴＳは、３分間を基準として、カウンタＨＫの値に１分間を乗じた値を加算して、再設定する。この場合、発呼復帰動作が入力されるたびに、再発呼待機時間ＴＳは、１分間ずつ大きくなる。
【００５９】
次いで、発呼復帰操作入力の時刻が、上述した設定時間帯内であるかどうかを調べる（判断２２８）。判断２２８の結果がＹＥＳになるときには、保存時間を設定する時間Ｔ１に、所定値ＴＰ１をセットし（処理２２９）、判断２２８の結果がＮＯになるときには、時間Ｔ１に、所定値ＴＰ２をセットする（処理２３０）。
【００６０】
次に、保存時間Ｔ１が、延長設定モードにセットされているかどうかを調べる（判断２３１）。判断２３１の結果がＹＥＳになるときには、カウンタＨＫの値に応じて時間Ｔ１の値を延長する（処理２３２）。例えば、カウンタＨＫの値に１時間を乗じた値を加算して、時間Ｔ１の値を再設定する。また、判断２３１の結果がＮＯになるときには、カウンタＨＫの値に応じて時間Ｔ１の値を短縮する（処理２３３）。例えば、カウンタＨＫの値に１時間を乗じた値を減じて、時間Ｔ１の値を再設定する。
【００６１】
このようにして、時間Ｔ１の再設定を行うと、処理２１２へ戻り、再発呼動作を含めた発呼動作を繰り返し行う。
【００６２】
このようにして、本実施例では、再発呼動作を含めた発呼動作（一群の発呼動作）を終了した時点で画情報の送信動作が正常に完了していない場合には、画情報を蓄積してから、時間Ｔ１を経過するまでの間、発呼復帰を促すメッセージが操作表示部７へ表示され、ユーザが発呼復帰を指令した場合には、再発呼動作を含めた発呼動作が繰り返し行われるので、重要な送信動作を確実に実行させることができる。また、発呼復帰操作が行われた場合には、その操作時点を基準として、時間Ｔ１が再設定されるとともに、計時が再開されるので、重要な送信動作をより確実に実行させることができる。また、蓄積送信する時刻によって上記時間Ｔ１を変えているので、発呼復帰指示が困難な時間帯であるときにうっかり保存時間を経過してしまう事態を避けることができる。
【００６３】
また、蓄積ページ数に応じて、設定値ＴＰ１，ＴＰ２の値を増やしているので、再送信のために、大量のページの蓄積をやり直すという手間をより効果的に防ぐことができる。また、発呼復帰操作回数に応じて、保存時間Ｔ１の値を調整しているので、延長する場合には、重要な画情報を消すのを防ぐことができ、また、短縮する場合には、交信できない画情報は早く消すことができて、画像蓄積装置９の記憶容量を有効に活用することができる。
【００６４】
また、発呼復帰操作回数に応じて、再発呼待機時間ＴＳを延長しているので、例えば、相手先がビジーかトラブル等の確率が高い場合に、発呼間隔が長くなるので、画情報を送信可能な確率を高めることができる。
【００６５】
図７〜図９は、送信時の処理のさらに他の例を示している。
【００６６】
ユーザが送信原稿をスキャナ５にセットし（処理３０１）、操作表示部７を操作して宛先を入力すると（処理３０２）、スキャナ５によりセットされた送信原稿を読み取り（処理３０４）、それによって得た画像データを符号化復号化部８で符号化圧縮し、それによって得た画情報を画像蓄積装置９に蓄積する（処理３０５）。
【００６７】
次いで、蓄積ページ数に応じて、所定値ＴＰ１，ＴＰ２の値を設定（調整）する（処理３０６）。例えば、所定値ＴＰ１の値は、１２時間を基準として、蓄積ページ数が１０ページを超えるたびに１時間を加算する。また、所定値ＴＰ２の値は、６時間を基準として蓄積ページ数が１０ページを超えるたびに１時間を加算する。
【００６８】
そして、画情報の保存時間を判定するためのタイマＴＴを起動し（処理３０７）、そのときの時刻が、設定時間帯内であるかどうかを調べる（判断３０８）。ここで、設定時間帯は、夜間の時間帯、例えば、午後９時〜翌朝６時の時間帯が設定されている。
【００６９】
判断３０８の結果がＹＥＳになるときには、保存時間を設定する時間Ｔ１に、所定値ＴＰ１をセットし（処理３０９）、判断３０８の結果がＮＯになるときには、時間Ｔ１に、所定値ＴＰ２をセットする（処理３１０）。
【００７０】
次に、発呼復帰入力回数を保存するためのカウンタＨＫの値を０に初期設定するとともに（処理３１１）、発呼回数を保存するためのカウンタＨＣの値を０に初期設定し（処理３１２）、指定された宛先へ発呼し（処理３１３）、宛先が話中であるかどうかを調べる（判断３１５）。
【００７１】
判断３１５の結果がＮＯになるときには、所定のグループ３ファクシミリ送信動作を行って、処理３０５で蓄積した画情報を、宛先へ送信する（処理３１６）。この送信動作を終了すると、送信が正常に終了したか否かを調べ（判断３１７）、判断３１７の結果がＹＥＳになるときには、そのときに送信した画情報を消去して（処理３１８）、この処理を終了する。
【００７２】
また、判断３１７の結果がＮＯになるとき、および、判断３１５の結果がＹＥＳになるときで、送信動作が正常に終了しなかった場合には、カウンタＨＣの値を１つ増やし（処理３１９）、カウンタＨＣの値が、再発呼回数を規定する定数ＮＡ以上になっているかどうかを調べる（判断３２０）。
【００７３】
判断３２０の結果がＮＯになるときには、所定の再発呼待ち時間ＴＳ（後述）を待機し（処理３２１）、処理３１３へ戻り、再発呼動作を行う。
【００７４】
また、判断３２０の結果がＹＥＳになるときには、タイマＴＴの値が時間Ｔ１以上になっているかどうかを調べ（判断３２２）、判断３２２の結果がＹＥＳになるときには、処理３１８へ移行し、画情報を消去して、この処理を終了する。
【００７５】
また、判断３２２の結果がＮＯになるときには、発呼動作を復帰するかどうかを問い合わせる発呼復帰操作入力ガイダンスメッセージを操作表示部７へ表示して、ユーザに、発呼復帰の操作を要求し（処理３２３）、発呼復帰操作があるかどうかを調べ（判断３２４）、判断３２４の結果がＮＯになるときには、判断３２２へ戻る。
【００７６】
また、判断３２４の結果がＹＥＳになるときには、発呼復帰動作を行う。すなわち、この場合には、タイマＴＴを再起動し（処理３２５）、カウンタＨＫの値を１つ増やし（処理３２６）、カウンタＨＫの値に応じて、再発呼待機時間ＴＳを再設定する（処理３２７）。例えば、再発呼待機時間ＴＳは、３分間を基準として、カウンタＨＫの値に１分間を乗じた値を加算して、再設定する。この場合、発呼復帰動作が入力されるたびに、再発呼待機時間ＴＳは、１分間ずつ大きくなる。
【００７７】
次いで、発呼復帰操作入力の時刻が、上述した設定時間帯内であるかどうかを調べる（判断３２８）。判断３２８の結果がＹＥＳになるときには、保存時間を設定する時間Ｔ１に、所定値ＴＰ１をセットし（処理３２９）、判断３２８の結果がＮＯになるときには、時間Ｔ１に、所定値ＴＰ２をセットする（処理３３０）。
【００７８】
次に、画像蓄積装置９の残り容量に応じて、保存時間Ｔ１の値を再設定する（処理３３１）。例えば、残り容量が全体の５０％よりも多い場合には、保存時間Ｔ１の値を増減せず、残り容量が全体の５０％以下になっている場合には、保存時間Ｔ１の値を１時間短縮する。さらに、残り容量が全体の３０％以下になっている場合には保存時間Ｔ１の値を２時間短縮し、残り容量が全体の１０％以下になっている場合には、保存時間Ｔ１の値を３時間短縮する等、段階的に調整することができる。
【００７９】
このようにして、時間Ｔ１の再設定を行うと、処理３１２へ戻り、再発呼動作を含めた発呼動作を繰り返し行う。
【００８０】
このようにして、本実施例では、再発呼動作を含めた発呼動作（一群の発呼動作）を終了した時点で画情報の送信動作が正常に完了していない場合には、画情報を蓄積してから、時間Ｔ１を経過するまでの間、発呼復帰を促すメッセージが操作表示部７へ表示され、ユーザが発呼復帰を指令した場合には、再発呼動作を含めた発呼動作が繰り返し行われるので、重要な送信動作を確実に実行させることができる。また、発呼復帰操作が行われた場合には、その操作時点を基準として、時間Ｔ１が再設定されるとともに、計時が再開されるので、重要な送信動作をより確実に実行させることができる。また、蓄積送信する時刻によって上記時間Ｔ１を変えているので、発呼復帰指示が困難な時間帯であるときにうっかり保存時間を経過してしまう事態を避けることができる。
【００８１】
また、蓄積ページ数に応じて、設定値ＴＰ１，ＴＰ２の値を増やしているので、再送信のために、大量のページの蓄積をやり直すという手間をより効果的に防ぐことができる。
【００８２】
また、発呼復帰操作回数に応じて、再発呼待機時間ＴＳを延長しているので、例えば、相手先がビジーかトラブル等の確率が高い場合に、発呼間隔が長くなるので、画情報を送信可能な確率を高めることができる。
【００８３】
また、画像蓄積装置９の残り容量に応じて、保存時間Ｔ１の値を調整しているので、画像蓄積装置９の容量をより効率よく活用することができる。
【００８４】
図１０および図１１は、送信時の処理の別な一例を示している。
【００８５】
ユーザが送信原稿をスキャナ５にセットし（処理４０１）、操作表示部７を操作して宛先を入力すると（処理４０２）、スキャナ５によりセットされた送信原稿を読み取り（処理４０４）、それによって得た画像データを符号化復号化部８で符号化圧縮し、それによって得た画情報を画像蓄積装置９に蓄積する（処理４０５）。
【００８６】
次いで、蓄積ページ数に応じて、所定値ＴＰ１，ＴＰ２の値を設定（調整）する（処理４０６）。例えば、所定値ＴＰ１の値は、１２時間を基準として、蓄積ページ数が１０ページを超えるたびに１時間を加算する。また、所定値ＴＰ２の値は、６時間を基準として蓄積ページ数が１０ページを超えるたびに１時間を加算する。
【００８７】
そして、画情報の保存時間を判定するためのタイマＴＴを起動し（処理４０７）、そのときの時刻が、設定時間帯内であるかどうかを調べる（判断４０８）。ここで、設定時間帯は、夜間の時間帯、例えば、午後９時〜翌朝６時の時間帯が設定されている。
【００８８】
判断４０８の結果がＹＥＳになるときには、保存時間を設定する時間Ｔ１に、所定値ＴＰ１をセットし（処理４０９）、判断４０８の結果がＮＯになるときには、時間Ｔ１に、所定値ＴＰ２をセットする（処理４１０）。
【００８９】
次に、発呼回数を保存するためのカウンタＨＣの値を０に初期設定し（処理４１１）、指定された宛先へ発呼し（処理４１５）、宛先が話中であるかどうかを調べる（判断４１６）。
【００９０】
判断４１６の結果がＮＯになるときには、所定のグループ３ファクシミリ送信動作を行って、処理４０５で蓄積した画情報を、宛先へ送信する（処理４１７）。この送信動作を終了すると、送信が正常に終了したか否かを調べ（判断４１８）、判断４１８の結果がＹＥＳになるときには、画像蓄積装置９の蓄積ジョブ件数に応じて保存時間Ｔ２を設定し（処理４１９）、カウンタＴ１の値が保存時間Ｔ２以上になるまで待ち（判断４２０のＮＯループ）、判断４２０の結果がＹＥＳになると、そのときに送信した画情報を消去して（処理４２１）、この処理を終了する。
【００９１】
また、判断４１８の結果がＮＯになるとき、および、判断４１６の結果がＹＥＳになるときで、送信動作が正常に終了しなかった場合には、カウンタＨＣの値を１つ増やし（処理４２２）、カウンタＨＣの値が、再発呼回数を規定する定数ＮＡ以上になっているかどうかを調べる（判断４２３）。
【００９２】
判断４２３の結果がＮＯになるときには、所定の再発呼待ち時間ＴＳ（例えば、３分間）を待機し（処理４２４）、処理４１５へ戻り、再発呼動作を行う。
【００９３】
また、判断４２３の結果がＹＥＳになるときには、タイマＴＴの値が時間Ｔ１以上になっているかどうかを調べ（判断４２５）、判断４２５の結果がＹＥＳになるときには、処理４１９へ移行し、保存時間Ｔ２まで画情報を保持した後に画情報を消去して、この処理を終了する。
【００９４】
また、判断４２５の結果がＮＯになるときには、発呼動作を復帰するかどうかを問い合わせる発呼復帰操作入力ガイダンスメッセージを操作表示部７へ表示して、ユーザに、発呼復帰の操作を要求し（処理４２６）、発呼復帰操作があるかどうかを調べ（判断４２７）、判断４２７の結果がＮＯになるときには、判断４２５へ戻る。
【００９５】
また、判断４２７の結果がＹＥＳになるときには、発呼復帰動作を行う。すなわち、この場合には、判断４０７へ戻り、タイマＴＴを再起動するとともに、時間Ｔ１を再設定し、再発呼動作を含めた発呼動作を繰り返し行う。
【００９６】
このようにして、本実施例では、再発呼動作を含めた発呼動作（一群の発呼動作）を終了した時点で画情報の送信動作が正常に完了していない場合には、画情報を蓄積してから、時間Ｔ１を経過するまでの間、発呼復帰を促すメッセージが操作表示部７へ表示され、ユーザが発呼復帰を指令した場合には、再発呼動作を含めた発呼動作が繰り返し行われるので、重要な送信動作を確実に実行させることができる。また、発呼復帰操作が行われた場合には、その操作時点を基準として、時間Ｔ１が再設定されるとともに、計時が再開されるので、重要な送信動作をより確実に実行させることができる。また、蓄積送信する時刻によって上記時間Ｔ１を変えているので、発呼復帰指示が困難な時間帯であるときにうっかり保存時間を経過してしまう事態を避けることができる。
【００９７】
また、送信が正常に終了した場合には、保存時間Ｔ２を経過するまで画情報を保持した後に、当該画情報を消去するので、例えば、ユーザは、送信原稿を紛失した場合にプリントアウトすることができ、あるいは、送信した画情報の内容を後から確認することができる。
【００９８】
なお、上述した実施例では、画像蓄積装置９に保存したファイルを保持する条件として、「蓄積保存してから所定時間を経過しない」という条件を採用しているが、それ以外の条件を採用することもできる。例えば、「蓄積されている画情報の件数が所定値以内であれば保持」、「画像蓄積装置９の残量が所定値以上であれば保持」、「所定時刻を経過するまで保持」等である。
【００９９】
また、上述した実施例では、「所定回数発呼しても通信が正常に終了しなかった場合」に発呼復帰動作を行えるようにしているが、「相手装置が他の装置と通信中であったり、相手装置に異常が発生している場合等でビジー状態であるために通信できなかった場合」、「相手装置と接続できたが、なんらかの原因（例えば、回線上のノイズ等）で通信が正常終了しなかった場合」に発呼復帰動作を行えるようにすることもできる。
【０１００】
また、上述した実施例における画情報の消去動作は、「画情報そのものを画像蓄積装置９より消去する」、「画情報または画情報の管理情報の１つ以上を消去して、当該画情報へアクセスできなくする」という方法を採用することができる。
【図面の簡単な説明】
【０１０１】
【図１】本発明の一実施例にかかるグループ３ファクシミリ装置の構成例を示したブロック図。
【図２】送信時の処理の一例を示したフローチャート。
【図３】送信時の処理の一例を示したフローチャート（図２の続き）。
【図４】送信時の処理の他の例を示したフローチャート。
【図５】送信時の処理の他の例を示したフローチャート（図４の続き）。
【図６】送信時の処理の他の例を示したフローチャート（図５の続き）。
【図７】送信時の処理のさらに他の例を示したフローチャート。
【図８】送信時の処理のさらに他の例を示したフローチャート（図７の続き）。
【図９】送信時の処理のさらに他の例を示したフローチャート（図８の続き）。
【図１０】送信時の処理の別な例を示したフローチャート。
【図１１】送信時の処理の別な例を示したフローチャート（図１０の続き）。
【符号の説明】
【０１０２】
１  システム制御部
２  システムメモリ
３  パラメータメモリ
９  画像蓄積装置
【図１】
0004504404.tif 000002
【図２】
0004504404.tif 000003
【図３】
0004504404.tif 000004
【図４】
0004504404.tif 000005
【図５】
0004504404.tif 000006
【図６】
0004504404.tif 000007
【図７】
0004504404.tif 000008
【図８】
0004504404.tif 000009
【図９】
0004504404.tif 000010
【図１０】
0004504404.tif 000011
【図１１】
0004504404.tif 000012